【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
外部装置と通信可能な情報処理装置であって、
Ｂｌｕｅｔｏｏｔｈ  ＬＥのアドバタイズメントパケットを送信しつつ、前記外部装置から送信されるアドバタイズメントパケットを受信可能な状態で動作する通信手段と、
前記通信手段がアドバタイズメントパケットを受信した場合に、当該受信アドバタイズメントパケットにおいて前記情報処理装置が宛先として指定されているか否かを判定する判定手段と、
前記受信アドバタイズメントパケットにおいて前記情報処理装置が宛先として指定されていると前記判定手段によって判定された場合に、マスターとしてＢｌｕｅｔｏｏｔｈ  ＬＥ接続を確立するために、前記受信アドバタイズメントパケットの送信元に対して接続要求を送信するように前記通信手段を制御する制御手段と、
を備えることを特徴とする情報処理装置。
【請求項２】
前記受信アドバタイズメントパケットにおいて前記情報処理装置が宛先として指定されていると判定された場合に、前記制御手段は、アドバタイズメントパケットの送信を停止するように前記通信手段を制御することを特徴とする請求項１に記載の情報処理装置。
【請求項３】
マスターとして確立したＢｌｕｅｔｏｏｔｈ  ＬＥ接続が終了した場合に、前記制御手段は、アドバタイズメントパケットの送信を再開するように前記通信手段を制御することを特徴とする請求項２に記載の情報処理装置。
【請求項４】
前記通信手段が接続要求を前記外部装置から受信した場合、前記制御手段は、スレーブとしてＢｌｕｅｔｏｏｔｈ  ＬＥ接続を確立するように前記通信手段を制御することを特徴とする請求項１乃至３のいずれか１項に記載の情報処理装置。
【請求項５】
スレーブとしてＢｌｕｅｔｏｏｔｈ  ＬＥ接続を確立する場合、前記制御手段は、アドバタイズメントパケットの送信を停止するように前記通信手段を制御することを特徴とする請求項４に記載の情報処理装置。
【請求項６】
スレーブとして確立したＢｌｕｅｔｏｏｔｈ  ＬＥ接続が終了した場合に、前記制御手段は、アドバタイズメントパケットの送信を再開するように前記通信手段を制御することを特徴とする請求項５に記載の情報処理装置。
【請求項７】
前記情報処理装置は、印刷処理を実行可能な印刷装置であることを特徴とする請求項１乃至６のいずれか１項に記載の情報処理装置。
【請求項８】
外部装置と通信可能な情報処理装置の制御方法であって、
前記情報処理装置は、Ｂｌｕｅｔｏｏｔｈ  ＬＥのアドバタイズメントパケットを送信しつつ、前記外部装置から送信されるアドバタイズメントパケットを受信可能な状態で動作する通信手段を備え、
前記制御方法は、
前記通信手段がアドバタイズメントパケットを受信した場合に、当該受信アドバタイズメントパケットにおいて前記情報処理装置が宛先として指定されているか否かを判定する判定工程と、
前記受信アドバタイズメントパケットにおいて前記情報処理装置が宛先として指定されていると前記判定工程で判定された場合に、マスターとしてＢｌｕｅｔｏｏｔｈ  ＬＥ接続を確立するために、前記受信アドバタイズメントパケットの送信元に対して接続要求を送信するように前記通信手段を制御する制御工程と、
を含むことを特徴とする制御方法。
【請求項９】
請求項１から７のいずれか１項に記載の情報処理装置の各手段としてコンピュータを機能させるためのプログラム。
【請求項１０】
前記通信手段がアドバタイズメントパケットを受信した場合に、当該受信アドバタイズメントパケットのＰＤＵタイプがＡＤＶ＿ＤＩＥＲＣＴ＿ＩＮＤを示しているかを判定する第２の判定手段を更に備え、
前記制御手段は、前記受信アドバタイズメントパケットのＰＤＵタイプがＡＤＶ＿ＤＩＲＥＣＴ＿ＩＮＤを示していると前記第２の判定手段によって判定され、且つ、前記受信アドバタイズメントパケットにおいて前記情報処理装置が宛先として指定されていると前記判定手段によって判定された場合に、マスターとしてＢｌｕｅｔｏｏｔｈ  ＬＥ接続を確立するために、前記受信アドバタイズメントパケットの送信元に対して接続要求を送信するように前記通信手段を制御することを特徴とする請求項１乃至７のいずれか１項に記載の情報処理装置。
【手続補正２】
【補正対象書類名】明細書
【補正対象項目名】０００８
【補正方法】変更
【補正の内容】
【０００８】
本発明は、例えば、情報処理装置として実現できる。本発明の一態様に係る情報処理装置は、外部装置と通信可能な情報処理装置であって、Ｂｌｕｅｔｏｏｔｈ  ＬＥのアドバタイズメントパケットを送信しつつ、前記外部装置から送信されるアドバタイズメントパケットを受信可能な状態で動作する通信手段と、前記通信手段がアドバタイズメントパケットを受信した場合に、当該受信アドバタイズメントパケットにおいて前記情報処理装置が宛先として指定されているか否かを判定する判定手段と、前記受信アドバタイズメントパケットにおいて前記情報処理装置が宛先として指定されていると前記判定手段によって判定された場合に、マスターとしてＢｌｕｅｔｏｏｔｈ  ＬＥ接続を確立するために、前記受信アドバタイズメントパケットの送信元に対して接続要求を送信するように前記通信手段を制御する制御手段と、を備えることを特徴とする。
【手続補正３】
【補正対象書類名】明細書
【補正対象項目名】００２８
【補正方法】変更
【補正の内容】
【００２８】
＜携帯端末１０２のソフトウェア構成＞
図３（Ｂ）は、携帯端末１０２のソフトウェア構成例を示すブロック図である。図３（Ｂ）に示す各部は、ＣＰＵ２１１がフラッシュメモリ２１４等の記憶デバイスに格納されたプログラムを読み出して実行することによって、携帯端末１０２上で実現される。
【手続補正４】
【補正対象書類名】明細書
【補正対象項目名】００３９
【補正方法】変更
【補正の内容】
【００３９】
・UserName：
ＭＦＰ１０１が提供するサービスの利用を携帯端末１０２が開始する際に、携帯端末１０２からユーザ名がWriteされるキャラクタリスティックである。
・Password：
ＭＦＰ１０１が提供するサービスの利用を携帯端末１０２が開始する際に、携帯端末１０２からパスワードがWriteされるキャラクタリスティックである。なお、Writeの際に暗号化が必要であってもよい。
・AuthResult：
ＭＦＰ１０１が携帯端末１０２からの認証要求に従って行ったユーザ認証の結果（ユーザ認証の成否）が格納されるキャラクタリスティックであり、例えば、図１１（Ｂ）に示す値が格納される。認証結果の格納に応じて、ＢＴ通信制御部３０２は、接続中の携帯端末１０２に認証結果を通知する。
【手続補正５】
【補正対象書類名】明細書
【補正対象項目名】００４４
【補正方法】変更
【補正の内容】
【００４４】
・IP Address：
ＭＦＰ１０１が有線ＬＡＮ１０４を介した通信に利用するＩＰアドレスが格納されるキャラクタリスティックであり、携帯端末１０２によってReadされる。
・MAC Address：
ＭＦＰ１０１のネットワークＩ／Ｆ２０７のＭＡＣアドレスが格納されるキャラクタリスティックであり、携帯端末１０２によってReadされる。
【手続補正６】
【補正対象書類名】明細書
【補正対象項目名】００５８
【補正方法】変更
【補正の内容】
【００５８】
上述のように、ＭＦＰ１０１は、マスターとして携帯端末１０２とのＢＬＥ接続を確立した後も、所定の時間間隔で（即ち、定期的に）ＡＤＶパケット（ADV_NONCONN_IND）を送信するアドバタイジング処理と、スキャン処理とを継続する。これは、マスターとして確立したＢＬＥ接続を保持している場合、ＭＦＰ１０１は、他の携帯端末との間でＢＬＥ接続をマスターとして追加的に確立することが可能である一方、スレーブとしてＢＬＥ接続を追加的に確立することはできないためである。即ち、ＭＦＰ１０１は、ＡＤＶパケット（ADV_NONCONN_IND）の送信によって、周囲の携帯端末にＭＦＰ１０１が提供するサービスを通知することで、マスターとして他の携帯端末とＢＬＥ接続を確立できる状態を維持する。その一方で、ＭＦＰ１０１は、接続要求（CONNECT_REQ）を受け付けないことを周囲の携帯端末に通知することで、スレーブとして他の携帯端末とのＢＬＥ接続を確立できないことを通知する。